(57)【要約】【課題】マーカを上昇非作用姿勢に切り換えた状態で確実に姿勢保持することができるようにすることが要望されていた。【解決手段】苗植付装置に、圃場面に接地した位置で走行指標を形成する作用姿勢と、上昇側に揺動して圃場面から離れた上昇非作用姿勢とに姿勢変更可能に支持された左右のマーカ２８と、マーカ２８を上昇非作用姿勢にて下降側への移動を阻止する保持部材６５とが備えられ、保持部材６５は、マーカ２８を受止めて下降側への移動を阻止する受止め部６６と、受止め部６６にて受止めた状態でマーカ２８の上昇側への抜け外れを阻止する幅狭の抜け外れ防止部６７とを備えている。【選択図】図１１
2020145964.tif 000002
【特許請求の範囲】
【請求項１】
走行機体の後部に昇降操作可能に苗植付装置が支持され、
前記苗植付装置に、
圃場面に接地した位置で走行指標を形成する作用姿勢と、上昇側に揺動して圃場面から離れた上昇非作用姿勢とに姿勢変更可能に支持された左右のマーカと、
前記マーカを前記上昇非作用姿勢にて下降側への移動を阻止する保持部材とが備えられ、
前記保持部材は、前記マーカを受止めて下降側への移動を阻止する受止め部と、前記受止め部にて受止めた状態で前記マーカの上昇側への抜け外れを阻止する幅狭の抜け外れ防止部とを備えている田植機。
【請求項２】
前記保持部材は、弾性変形可能な棒体にて構成され、且つ、前記受止め部が前記棒体を略Ｕ字形に曲げて形成されるとともに、前記抜け外れ防止部が前記棒体を前記マーカの外径よりも幅狭のくびれ状に曲げて形成されている請求項１に記載の田植機。
【請求項３】
前記マーカは、前記上昇非作用姿勢よりも前記苗植付装置の左右幅方向内方側において、前記マーカの全体が前記苗植付装置の左右幅内に格納された状態となる格納姿勢に姿勢変更可能であり、
前記保持部材は、前記格納姿勢にて移動を阻止する格納用保持部を備えている請求項１又は２に記載の田植機。
【請求項４】
前記マーカは、基端部から先端部まで一体的に形成された棒状のアーム部と、前記アーム部の先端に備えられた指標形成部とを備え、
前記アーム部は、長手方向の中間部が前記苗植付装置の左右幅方向外方側に向かうように屈曲している請求項１から３のいずれか１項に記載の田植機。
【請求項５】
作業に伴って流下ホースを通して圃場に肥料を供給する施肥装置が備えられ、
前記保持部材が、前記流下ホースの途中部を受止め支持する請求項１から４のいずれか1項に記載の田植機。
【請求項６】
前記指標形成部が前記アーム部の先端部に回転可能に支持された回転体にて構成され、
前記アーム部の先端部において、前記回転体の回転軸芯方向一方側に位置して、前記回転体を回転可能に支持する回転体支持部と、前記回転軸芯方向他一方側に位置して、前記回転体の前記回転軸芯方向の位置を固定する位置固定部とが備えられ、
前記回転体支持部と前記位置固定部との間における回転中心部がラビリンス構造にてシールされている請求項１から５のいずれか１項に記載の田植機。
【発明の詳細な説明】
【技術分野】
【０００１】
本発明は、田植機に関し、詳しくは、走行機体の後部に昇降操作可能に苗植付装置が支持され、この苗植付装置に、圃場面に走行指標を形成するマーカが備えられている田植機に関する。
【背景技術】
【０００２】
上記田植機において、従来では、マーカが、圃場面に走行指標を形成する作用姿勢と、上昇側に揺動して圃場面から離れた上昇非作用姿勢とに姿勢変更可能に支持され、マーカを上昇非作用姿勢にて姿勢保持する保持部材として、棒状部材を曲げてマーカを上昇非作用姿勢にて下降側への移動を阻止する係合部を形成した固定金具を備えたものがあった。そして、この固定金具の係合部は、棒状部材を略Ｕ字状に曲げるとともに、この係合部へのマーカの出し入れが行い易くなるように、係合部における出入り用の開口は広めに形成されていた（例えば、特許文献１参照）。
【先行技術文献】
【特許文献】
【０００３】
【特許文献１】特開２０１３−７４８４２号公報
【発明の概要】
【発明が解決しようとする課題】
【０００４】
上記構成は、例えば、圃場の畦際等においてマーカが畦に接触するのを回避しながら田植え作業を行う場合、又は、植え付け作業が終了したのちに、機体を移動走行させるような場合に、固定金具を用いてマーカを上昇非作用姿勢に姿勢保持するようにしたものである。上記従来構成では、固定金具の係合部へのマーカの出し入れの操作が行い易いという利点はあるものの、例えば、移動中に機体が横揺れしたり、マーカの先端部が他物に接触すること等によって、固定金具の係合部に対するマーカの係合状態が容易に解除されてしまうという不利な面があった。
【０００５】
そこで、マーカを上昇非作用姿勢に切り換えた状態で確実に姿勢保持することができるようにすることが要望されていた。
【課題を解決するための手段】
【０００６】
本発明に係る田植機の特徴構成は、走行機体の後部に昇降操作可能に苗植付装置が支持され、前記苗植付装置に、圃場面に接地した位置で走行指標を形成する作用姿勢と、上昇側に揺動して圃場面から離れた上昇非作用姿勢とに姿勢変更可能に支持された左右のマーカと、前記マーカを前記上昇非作用姿勢にて下降側への移動を阻止する保持部材とが備えられ、前記保持部材は、前記マーカを受止めて下降側への移動を阻止する受止め部と、前記受止め部にて受止めた状態で前記マーカの上昇側への抜け外れを阻止する幅狭の抜け外れ防止部とを備えている点にある。
【０００７】
本発明によれば、マーカは、上昇非作用姿勢において保持部材の受止め部にて受止められることにより下降側への移動が阻止される。そして、マーカは、受止め部にて受止められた状態では、保持部材に備えられた抜け外れ防止部により上昇側への抜け外れが阻止される。抜け外れ防止部は幅狭であり、マーカが保持部材の外方側から受止め部に入り込むときや、受止め部から抜き外すときには、幅狭の抜け外れ防止部を押し広げながらマーカを通過させることになる。
【０００８】
マーカを受止め部に入り込むときには、抜け外れ防止部を押し広げるための操作力が必要となるが、受止め部に入り込んだのちは、機体が揺れ動いたり、マーカに他物が接触する程度であれば抜け外れることを阻止できる。
【０００９】
従って、マーカを上昇非作用姿勢に切り換えた状態で確実に姿勢保持することができるようにすることが可能となった。
【００１０】
本発明においては、前記保持部材は、弾性変形可能な棒体にて構成され、且つ、前記受止め部が前記棒体を略Ｕ字形に曲げて形成されるとともに、前記抜け外れ防止部が前記棒体を前記マーカの外径よりも幅狭のくびれ状に曲げて形成されていると好適である。
【００１１】
本構成によれば、保持部材は、弾性変形可能な棒体を略Ｕ字形に曲げて曲げることによって、受止め部が形成され、その受止め部の両側の棒体部分で挟まれる箇所をくびれ状に幅狭にすることで抜け外れ防止部を形成している。その結果、簡単な構成であって低コストで対応できるものとなる。
【００１２】
本発明においては、前記マーカは、前記上昇非作用姿勢よりも前記苗植付装置の左右幅方向内方側において、前記マーカの全体が前記苗植付装置の左右幅内に格納された状態となる格納姿勢に姿勢変更可能であり、前記保持部材は、前記格納姿勢にて移動を阻止する格納用保持部を備えていると好適である。
【００１３】
本構成によれば、マーカを格納姿勢に変更して格納用保持部にて移動を阻止することによって、田植機を運搬車両に搭載して移動させる際などに、マーカが外側に向けてはみ出す状態となることを避けてコンパクトに格納できる。そして、別の部材を設けて構成を複雑にすることなく、保持部材を有効に利用して、マーカを格納姿勢にて保持することができる。
【００１４】
本発明においては、前記マーカは、基端部から先端部まで一体的に形成された棒状のアーム部と、前記アーム部の先端に備えられた指標形成部とを備え、前記アーム部は、長手方向の中間部が前記苗植付装置の左右幅方向外方側に向かうように屈曲していると好適である。
【００１５】
本構成によれば、アーム部は、長手方向の中間部が苗植付装置の左右幅方向外方側に向かうように屈曲しているので、苗植付装置が下降した際に、アーム部の長手方向の中間部が機体の車輪から離間することになる。その結果、アーム部が車輪に接触することを回避させることができる。又、アーム部の中間部よりも上側は左右幅方向内方側に寄った状態となり、指標形成部が苗植付装置の左右幅方向外方側に大きく突出することを回避できる。
【００１６】
本発明においては、作業に伴って流下ホースを通して圃場に肥料を供給する施肥装置が備えられ、前記保持部材が、前記流下ホースの途中部を受止め支持すると好適である。
【００１７】
本構成によれば、保持部材を利用して流下ホースを受止め支持することができる。その結果、専用のホース支持部材を設けることなく、部材の兼用によって構成の簡素化を図りながら、流下ホースを支持することができる。
【００１８】
本発明においては、前記指標形成部が前記アーム部の先端部に回転可能に支持された回転体にて構成され、前記アーム部の先端部において、前記回転体の回転軸芯方向一方側に位置して、前記回転体を回転可能に支持する回転体支持部と、前記回転軸芯方向他一方側に位置して、前記回転体の前記回転軸芯方向の位置を固定する位置固定部とが備えられ、前記回転体支持部と前記位置固定部との間における回転中心部がラビリンス構造にてシールされていると好適である。
【００１９】
本構成によれば、回転体支持部と前記位置固定部との間における回転中心部がラビリンス構造にてシールされることにより、回転体（指標形成部）を回転可能に支持する回転体支持部と回転体との間の相対回動部分に泥土等が侵入するおそれが少ないものになる。その結果、例えば、低コスト化や軽量化のために、回転体支持部や固定部を合成樹脂材で構成するような場合であっても、耐久性の低下を防止できる。
【図面の簡単な説明】
【００２０】
【図１】乗用型田植機の全体側面図である。
【図２】苗植付装置の側面図である。
【図３】苗植付装置の横断平面図である。
【図４】苗植付装置の正面図である。
【図５】マーカの支持構造を示す正面図である。
【図６】マーカの支持構造を示す斜視図である。
【図７】マーカの支持構造を示す分解斜視図である。
【図８】マーカ先端部の支持構造を示す分解斜視図である。
【図９】マーカ先端部の支持構造を示す縦断面図である。
【図１０】マーカの作用姿勢を示す正面図である。
【図１１】マーカの非作用上昇姿勢を示す正面図である。
【図１２】マーカの格納姿勢を示す正面図である。
【発明を実施するための形態】
【００２１】
以下、本発明を実施するための形態の一例として、本発明を、水田作業機の一例である乗用型田植機に適用した実施形態を図面に基づいて説明する。
【００２２】
本実施形態では、以下の説明において、図１，２，６に示す矢印Ｆの方向を「前」、矢印Ｂの方向を「後」とし、図３，４，５，６，１０，１１，１２に示す矢印Ｌの方向を「左」、矢印Ｒの方向を「右」とし、図１，２，４，５，６，１０，１１，１２に示す矢印Ｕの方向を「上」、矢印Ｄの方向を「下」とする。
【００２３】
〔全体構成〕
乗用型田植機の全体構成について説明する。
図１に示すように、右及び左の前輪１、右及び左の後輪２で支持された走行機体３の後部に、上下揺動自在なリンク機構４が備えられて、リンク機構４の後部に４条植型式の苗植付装置５が昇降自在に支持され、リンク機構４を昇降駆動する油圧シリンダ６が備えられて、水田作業機の一例である乗用型田植機が構成されている。
【００２４】
走行機体３に、前後方向に沿って延びる右及び左の機体フレーム７が設けられている。機体フレーム７の前部にミッションケース８が連結され、ミッションケース８の前部にエンジン９が支持されている。走行機体３の後部側に搭乗運転部１０が備えられている。図２に示すように、搭乗運転部１０は、前輪操舵用のステアリングハンドル１１、搭乗ステップ１２、運転座席１３、及び、後部ステップ１４、などを備えている。搭乗運転部１０の後部側には、施肥装置１５が備えられている。
【００２５】
エンジン９からの動力は、ミッションケース８内の伝動機構を介して、前輪１及び後輪２に伝達される一方、施肥装置１５に伝達され、又、ＰＴＯ軸１６を介して苗植付装置５に伝達される。
【００２６】
施肥装置１５には、肥料を貯留するホッパー１７、貯留されている肥料をホッパー１７の下部から繰り出す繰出機構１８、繰り出された肥料を圃場に案内する４本の流下ホース１９、圃場に施肥用の溝を形成する４つの作溝器２０、流下ホース１９に搬送風を供給するブロア２１等が備えられている。
【００２７】
〔苗植付装置〕
図２，３に示すように、苗植付装置５は、苗植付装置全体を支持する主フレーム２２、ＰＴＯ軸１６から動力が伝達され且つその動力を各部に分配供給するフィードケース２３、２個の植付伝動ケース２４、植付伝動ケース２４の後部の右及び左部に備えられた植付機構２５、田面を整地する整地フロート２６、植付用のマット状苗が載置される苗のせ台２７、田面に走行用の指標を形成する左右のマーカ２８等、が備えられている。植付機構２５は、回転ケース２９と、回転ケース２９の両端部に備えられた一対の植付アーム３０等を備えている。
【００２８】
図示はしていないが、苗植付装置５には、苗のせ台２７を左右方向に一定ストロークで往復移動させる横送り機構が備えられ、フィードケース２３は、走行機体３からの動力を、各植付機構２５及び横送り機構等に供給する。各植付機構２５は、苗のせ台２７とともに左右方向に往復移動するマット状苗の下端から所定量ずつの植付苗を切り取って田面に植え付ける。植付機構２５は左右方向に間隔をあけて並ぶ状態で４つ備えられており、苗植付装置５は４条植え型式に構成されている。
【００２９】
図６に示すように、主フレーム２２は、アルミの引き抜き工法によって製作されており、前側部２２ａ、後側部２２ｂ、上側部２２ｃ及び下側部２２ｄを備えた台形状の断面形状を備えている。側面視（断面視）において、主フレーム２２の上側部２２ｃ及び下側部２２ｄが水平方向に沿っており、主フレーム２２の後側部２２ｂが鉛直方向に沿っている。前側部２２ａは前傾状態で傾斜している。
【００３０】
主フレーム２２の左右中央にフィードケース２３が連結されている。リンク機構４の後部の下部の前後軸芯周りに、フィードケース２３がローリング自在に支持されており、苗植付装置５の全体が軸芯周りにローリング可能に支持されている。
【００３１】
２個の植付伝動ケース２４が、左右方向に間隔をあけて主フレーム２２に連結されている。植付伝動ケース２４は、前端のフランジ部２４ａが主フレーム２２の後側部２２ｂに当て付けられた状態で前後方向にボルト３１で連結されている。植付伝動ケース２４は、主フレーム２２に対する連結箇所から後方に延出されている。
【００３２】
（苗のせ台の支持構造）
図２，４に示すように、左右の植付伝動ケース２４の上部に、摺動レール３２が左右方向に沿って支持されている。苗のせ台２７の下部が、左右方向に沿って往復移動自在に摺動レール３２に支持されており、側面視で、苗のせ台２７が、植付伝動ケース２４から斜め前側の上側に延出されている。
【００３３】
図４，６に示すように、主フレーム２２の前側部２２ａに、左右方向に間隔をあけて２つの直線状の縦向きフレーム３３がボルト連結されて上側に延出されている。２つの縦向きフレーム３３の上部に亘って横向きフレーム３５が連結されている。縦向きフレーム３３は、主フレーム２２と同様に、アルミの引き抜き工法によって製作されており、角筒状に形成されている。苗のせ台２７の上部に、支持レール３６が左右方向に沿って連結されており、縦向きフレーム３３の上部に支持されたローラ３７が、支持レール３６に挿入されている。
【００３４】
主フレーム２２の前側部２２ａが前傾状態となっているので、縦向きフレーム３３が、主フレーム２２の前側部２２ａから斜め前側の上側に直線的に延出されて、苗のせ台２７の上部に達している。
【００３５】
このように、苗のせ台２７の下部が、植付伝動ケース２４及び支持レール３６により左右方向に移動自在に支持され、苗のせ台２７の上部が、縦向きフレーム３３及びローラ３７により左右方向に移動可能に支持されている。そして、上述した横送り機構の作動によって、苗のせ台２７が所定のストロークで左右方向に往復横送り駆動される。
【００３６】
図４，６に示すように、左右の縦向きフレーム３３により、４本の流下ホース１９の途中部を支持するためのホース支持フレーム３８が支持されている。ホース支持フレーム３８は、苗のせ台２７の左右全幅に亘って左右方向に延びている。左右の縦向きフレーム３３の夫々とホース支持フレーム３８とが支持ブラケット３９を介して連結されている。支持ブラケット３９は、後端部がホース支持フレーム３８に溶接にて連結され、前端部が平面視で略Ｌ字形に形成されて、縦向きフレーム３３の上下中間位置における後側面にボルト４０で連結されている。
【００３７】
上述したように縦向きフレーム３３が、アルミ材によって製作されているから、例えば、鉄鋼材により作製されるものに比べて剛性が低くなる。その結果、苗のせ台２７に苗を載置して重量が大になり、縦向きフレーム３３に対して前倒れ方向の荷重が掛かると、縦向きフレーム３３が前側に変形するおそれがある。
【００３８】
そこで、このような変形を防止するために、縦向きフレーム３３の上下中間位置と主フレーム２２とが、鋼材からなる補強ワイヤ４１にて連結されている。補強ワイヤ４１の上端部が、円弧状に曲げられた状態で、縦向きフレーム３３の上下中間位置における、縦向きフレーム３３と支持ブラケット３９との連結箇所にて共締め状態でボルト４０で連結されている。又、補強ワイヤ４１の下端部が、円弧状に曲げられた状態で、主フレーム２２と植付伝動ケース２４との連結箇所にて共締め状態でボルト３１で連結されている。このことにより、他の部材を連結するためのボルト３１，４０を利用して、簡単な支持構成で補強ワイヤ４１を取り付けることができる。補強ワイヤ４１の取り付け構造としては、上記したように構成に代えて、縦向きフレーム３３との間、及び、主フレーム２２との間を、専用の連結部材を用いて連結する構成としてもよい。
【００３９】
図４に示すように、補強ワイヤ４１は、機体前後方向視で上側の連結箇所が下側の連結箇所よりも左右幅方向中央側に位置するようにして、左右の補強ワイヤ４１が下側ほど横方向に広がるような傾斜姿勢で取り付けられている。このように構成することで、苗のせ台２７の横移動に伴って横倒れ方向に荷重がかかっても、補強ワイヤ４１がそのような荷重を受止めて傾きを防止ことができる。この構成に代えて、補強ワイヤ４１を、機体前後方向視で上側の連結箇所と下側の連結箇所とが同じ位置になるように構成してもよい。
【００４０】
（マーカの構成）
図３に示すように、苗植付装置５の右部及び左部にマーカ２８が設けられている。これらのマーカ２８は、圃場面に接地した位置で走行指標を形成する作用姿勢（図１０参照）と、上昇側に揺動して圃場面から離れた上昇非作用姿勢（図１１参照）とに姿勢変更可能に支持されている。
【００４１】
図５，１０，１１，１２に示すように、マーカ２８は、基端部から先端部まで一体的に形成された棒状のアーム部４２と、 アーム部４２の先端に備えられた指標形成部としての回転体４３と、を備えている。アーム部４２の基端側に位置する下半分の領域には帯板状の補強部材４４が備えられている。アーム部４２は、弾性変形可能なバネ鋼にて構成され、十分な支持強度を有するとともに、無理な力が加わると、弾性変形して退避することが可能である。
【００４２】
図７に示すように、主フレーム２２の左右両側部に支持ブラケット４５が連結されている。この支持ブラケット４５に対して、アーム部４２の基端部に備えられた連結部４６が、略前後方向に向かう軸芯Ｐ１周りで上下揺動可能に支持されている。上記軸芯は、苗のせ台２７の上下延設方向と略直交するように斜め姿勢に設けられており、マーカ２８は、苗のせ台２７と干渉することなく上方に揺動可能である。マーカ２８は、上記軸芯周りで回動することで、作用姿勢と上昇非作用姿勢とに姿勢変更可能に支持される。
【００４３】
アーム部４２を作用姿勢となる側へ揺動付勢するコイルバネ４７が備えられている。コイルバネ４７は連結部４６の一端部に係止され、アーム部４２を外方側へ揺動するように設けられている。そして、連結部４６の回動支点位置に対してバネ係止部と反対側のワイヤ連結部に操作ワイヤ４８の一端が連結されている。操作ワイヤ４８の他端は、詳述はしないが、電動モータ式のワイヤ操作部４９により引き操作したり、緩めたりすることができるように構成されている。操作ワイヤ４８を緩めると、コイルバネ４７の付勢力によりマーカ２８が作用姿勢に切り換わり、コイルバネ４７の付勢力に抗して操作ワイヤ４８が引き操作されると、マーカ２８が上昇非作用姿勢に切り換わる。
【００４４】
図１１に示すように、アーム部４２は、上昇非作用姿勢において、長手方向の中間部が苗植付装置５の左右幅方向外方側に向かうように屈曲している。このように屈曲することで、マーカ２８を上昇非作用姿勢に切り換えた状態で苗植付装置５が下降することがあっても、アーム部４２が後輪２と接触することがないようにしている。これは、後輪２が、左右一対並べて備えられる構成を採用する場合（ダブルタイヤ仕様）には、特に有用である。
【００４５】
マーカ２８における回転体４３は、合成樹脂材にて略円板状に一体形成されている。回転体４３は、径方向内方側の中心部に位置するボス部５０と、ボス部５０から放射状に連なって延びる複数のリブ５１と、複数のリブ５１の外方側に連なる円環状部５２と、円環状部５２の外周部に周方向に間隔をあけて一体的に外方突出状態で設けられた複数の掻き揚げ羽根５３とを備えている。
【００４６】
図８，９に示すように、アーム部４２の先端部に、回転体４３を支持する回転体支持部５４と、回転体支持部５４に位置固定状態で装着されて回転体４３を位置固定する固定部５５とが備えられている。回転体支持部５４は、アーム部４２の先端部を複数の爪部５６により嵌めこみ保持する取り付け部５７と、回転体４３のボス部５０を回転可能に支持する軸部５８とを備えて、合成樹脂により一体的に形成されている。
【００４７】
回転体支持部５４の軸部５８に、フランジ部５９、回転体４３のボス部５０を回動可能に支持する円筒状部６０、円筒状部６０の先端側に一体的に延長形成される装着部６１が設けられている。軸部５８の内部には、アーム部４２の先端を嵌め込み可能な孔部６２が形成されている。
【００４８】
図９に示すように、Ｌ字状に折り曲げられているアーム部４２の先端部４２ａが、回転体支持部５４の孔部６２に挿入された状態で、アーム部４２の曲がり部の基端側部分が回転体支持部５４の爪部５６の間に嵌め込まれて、アーム部４２の先端部４２ａに、回転体支持部５４が取り付けられる。
【００４９】
回転体４３が、回転体支持部５４の円筒状部６０に回転可能に外嵌装着される。そして、装着部６１に外周側から固定部５５が装着されて回転体４３が抜け外れが阻止された状態で保持される。説明を加えると、図８に示すように、装着部６１は、外形が四角形状であって、外形寸法が円筒状部６０の外径よりも小さい形状の角柱状部６１ａと、角柱状部６１ａの先端側に一体的に形成された大径部６１ｂとを備えている。
【００５０】
図８に示すように、固定部５５は、合成樹脂材にて構成され、２つの分割からなる半割り構造であって、２つの分割体５５Ａ，Ｂが外方側から装着部６１を挟み込む状態で外嵌装着される。分割体５５Ａ，５５Ｂにおける分割面の反対側に、係合突起６３と相手側の係合突起６３が嵌り合い係合する係合凹部６４とが形成されている。装着部６１を挟み込む状態で係合突起６３と係合凹部６４とが嵌り合い係合して抜け外れを防止する構成となっている。
【００５１】
図９に示すように、固定部５５における軸芯方向両側部には、フランジ部５９及び大径部６１ｂに対して軸芯方向に係合して軸芯方向の位置を規制する位置規制部５５ｃ，５５ｄが形成されている。又、固定部５５の円筒状部側端部には、フランジ部５９及び回転体４３のボス部５０に近接する状態で外周側を覆う環状の突起部５５ｅが形成されている。このようにして、回転体４３のボス部５０の端部と軸部５８の外周部との間、すなわち、
回転体支持部５４と固定部５５との間における回転中心部は、隙間を覆うようなラビリンス構造にてシールされ、隙間から泥土が侵入するのを防止するようにしている。
【００５２】
乗用型田植機では、走行機体３の左右のうち未植え側の田面域に対応する側のマーカ２８を作用姿勢に切り換えて、田面に指標を形成する。すなわち、対応する側のワイヤ操作部４９にて操作ワイヤ４８を緩めるように操作して、コイルバネ４７の付勢力により作用姿勢に切り換える。そして、次回の植付走行において、田面に形成された指標に沿って、走行機体３を走行させて植付走行を行いながら、同時にマーカ２８により次の植付走行の指標を田面Ｇに形成するという作業を繰り返す。この場合、植付走行において、田面Ｇの指標が走行機体３の左右中央に位置するように、走行機体３を走行させる。このような植付作業が行われている間は、マーカ２８は作用姿勢と上方非作用姿勢とを交互に繰り返すことになる。このとき、上方非作用姿勢では、操作ワイヤ４８の引き操作によって位置保持される。
【００５３】
〔保持部材〕
図５，６，１０，１１，１２に示すように、マーカ２８を上昇非作用姿勢にて下降側への移動を阻止する保持部材６５が備えられている。例えば、畦際等でマーカ２８が畦に接触するのを回避しながら田植え作業を行う場合、又は、田植え作業が終了したのちに、走行機体３を移動走行させるような場合に、保持部材６５を用いてマーカ２８を上昇非作用姿勢に姿勢保持することができる。
【００５４】
保持部材６５は、マーカ２８を受止めて下降側への移動を阻止する受止め部６６と、受止め部６６にて受止めた状態でマーカ２８の上昇側への抜け外れを阻止する幅狭の抜け外れ防止部６７とを備えている。具体的には、保持部材６５は、弾性変形可能な棒体の一例であるバネ鋼を用いて構成されている。保持部材６５は、縦向きフレーム３３の上部に支持されている。
【００５５】
説明を加えると、図５，６に示すように、縦向きフレーム３３と横向きフレーム３５とが連結ブラケット６８を介して連結されている。連結ブラケット６８は、縦向きフレーム３３及び横向きフレーム３５の夫々にボルト６９で固定されて、縦向きフレーム３３と横向きフレーム３５とを連結している。そして、保持部材６５の基端部が、連結ブラケット６８と縦向きフレーム３３との連結用のボルト６９を利用して、共締め状態で固定されている。
【００５６】
保持部材６５は、縦向きフレーム３３に固定される箇所から左右方向外方側に向けて片持ち状に延出されている。その延出側の先端部が略Ｕ字形に曲げて受止め部６６が形成されている。受止め部６６は、左右方向内方側に向けて開口する入口部が左右方向内方側に位置し、Ｕ字形の底部が左右方向外方側に位置しており、コイルバネ４７により外方に向けて揺動付勢されているアーム部４２（マーカ２８）を付勢力に抗して受止めることができる。
【００５７】
そして、受止め部６６の手前側において、略Ｕ字形の両側の棒体が幅狭のくびれ状になるように曲げて抜け外れ防止部６７が形成されている。この抜け外れ防止部６７は、両側の棒体の最も狭い間隔が、マーカ２８すなわちアーム部４２の外径よりも幅狭に形成されている。又、両側の棒体は、抜け外れ防止部６７に対して受止め部６６とは反対は、抜け外れ部６７から徐々に間隔が広がり、アーム部４２が入り込み易いように案内する案内部７０が形成されている。
【００５８】
〔格納用保持部〕
保持部材６５には、受止め部６６や抜け外れ防止部６７とは別に、マーカ２８の全体が苗植付装置５の左右幅内に格納された状態となる格納姿勢に姿勢保持するための格納用保持部７１が備えられている。
【００５９】
保持部材６５のうち縦向きフレーム３３との連結箇所と受止め部６６との中間部に、アーム部４２を構成する棒体を略Ｕ字状に折り曲げて格納用保持部７１が形成されている。この格納用保持部７１も受止め部６６と同様に、略Ｕ字形の両側の棒体が幅狭のくびれ状になるように曲げて抜け外れ防止部７２が形成されている。
【００６０】
格納用保持部７１は、受止め部６６と同様に、左右方向内方側に向けて開口する入口部が左右方向内方側に位置し、Ｕ字形の底部が左右方向外方側に位置しており、コイルバネ４７により外方に向けて揺動付勢されているアーム部４２（マーカ２８）を付勢力に抗して受止めることができる。
【００６１】
図１１に示すように、マーカ２８のアーム部４２が保持部材６５の受止め部６６に係合すると、マーカ２８を上昇非作用姿勢にて保持することができる。そして、図１２に示すように、アーム部４２が保持部材６５の格納用保持部７１に係合すると、回転体４３の横外方側の端部が、苗のせ台２７の主フレーム２２から左右方向外方側に延設されたガード部材７３よりも左右方向内方側に入り込むように位置する。つまり、マーカ２８が苗植付装置５の左右幅内に格納される状態である。これが格納姿勢である。
【００６２】
マーカ２８を格納姿勢に位置保持することによって、田植機を運搬車両の荷台に載置して移送する場合に、マーカ２８が運搬車両の荷台から外側にはみ出す状態となることを避けてコンパクトに格納することができる。
【００６３】
〔ホース保持部〕
図５，６に示すように、保持部材６５に、流下ホース１９の途中部を受止め支持するホース保持部７４を備えることができる。すなわち、縦向きフレーム３３との連結箇所から受止め部６６を形成する延出部７５とは異なる方向に別の延出部７６を片持ち状に設けることができ、この別の延出部７６の延出端部を折り曲げて矩形枠状のホース保持部７４が形成されている。
尚、図５，６では、左側の保持部材６５にのみホース保持部７４を備える構成としているが、左右両側の保持部材６５に夫々、ホース保持部７４を備える構成としてもよい。
【００６４】
受止め部形成用の延出部７５と、ホース保持部用の延出部７６とは、一連に連なる棒体にて構成されている。つまり、１本の棒体を折り曲げ形成することにより、受止め部６６、抜け外れ防止部６７、格納用保持部７１、抜け外れ防止部７２、ホース保持部７４、縦向きフレーム３３に対する共締め連結部７７の夫々が、形成されている。
【００６５】
矩形枠状のホース保持部７４の内部を通過する状態で流下ホース１９が備えられる。このようにして、保持部材６５の構成を利用して、連結用のボルト６９を共用して取付構成を簡素にしながら流下ホース１９の途中部を保持することができる。途中部を保持することで、流下ホース１９が、下方へ垂れ下がったり、揺れ動いて他物へ干渉する等のおそれを回避できる。
【００６６】
〔別実施形態〕
（１）上記実施形態では、保持部材６５が、弾性変形可能な棒体にて構成され、抜け外れ防止部７２が棒体をマーカ２８の外径よりも幅狭のくびれ状に曲げて形成されるものを示したが、この構成に代えて、例えば、受止め部６６を構成する部材が剛体からなり、抜け外れ防止部６７として、受止め部６６を構成する部材とは別に抜け外れ防止用の専用の係止部材を備え、係止部材が係止状態と係止解除状態とに切り換えに構成されるものでもよい。
【００６７】
（２）上記実施形態では、保持部材６５に格納用保持部７１を備える構成としたが、このような格納用保持部７１を備えない構成でもよい。
【００６８】
（３）上記実施形態では、アーム部４２の長手方向の中間部が苗植付装置５の左右幅方向外方側に向かうように屈曲する構成としたが、この構成に代えて、アーム部４２が苗植付装置５の左右幅方向内方側に向かうように屈曲する構成としたり、全領域にわたり直線状に構成されるものでもよい。
【００６９】
（４）上記実施形態では、保持部材６５にホース保持部７４を備える構成としたが、この構成に代えて、保持部材６５がホース保持部７４を備えない構成としてもよい。
【産業上の利用可能性】
【００７０】
本発明は、走行機体の後部に昇降操作可能に苗植付装置が支持され、この苗植付装置に、圃場面に走行指標を形成するマーカが備えられている田植機に適用できる。
【符号の説明】
【００７１】
５          苗植付装置
１５        施肥装置
１９        流下ホース
２８        マーカ
４２        アーム部
４３        回転体（指標形成部）
５４        回転体支持部
５５        固定部（位置固定部）
６５        保持部材
６６        受止め部
６７        抜け外れ防止部
７１        格納用保持部
【図１】
2020145964.tif 000003
【図２】
2020145964.tif 000004
【図３】
2020145964.tif 000005
【図４】
2020145964.tif 000006
【図５】
2020145964.tif 000007
【図６】
2020145964.tif 000008
【図７】
2020145964.tif 000009
【図８】
2020145964.tif 000010
【図９】
2020145964.tif 000011
【図１０】
2020145964.tif 000012
【図１１】
2020145964.tif 000013
【図１２】
2020145964.tif 000014